(57)【特許請求の範囲】
【請求項１】
投入口に束状に投入される紙葉類を処理する紙葉類処理装置において、
前記投入口を開閉するシャッターを有し、
投入された紙葉類の端部に接触しながら移動する捌き手段を設け、
前記捌き手段は、前記シャッターに設けられ、該シャッターとともに移動して投入された紙葉類の上端部に接触し、該上端部を捌くことを特徴とする紙葉類処理装置。
【発明の詳細な説明】
【技術分野】
【０００１】
本発明は、紙幣入出金機等、紙葉状の媒体（紙葉類）を処理する紙葉類処理装置に関する。
【背景技術】
【０００２】
従来、一般に、紙幣入出金機においては、入金時に顧客から投入される紙幣の間に紙幣以外の異物が混入している場合がある。この場合に備えて、従来の紙幣入出金機には異物除去機能を具備したものがある。このような異物除去機能を有する装置を開示するものとして、例えば、特許文献１（特開２００６−６５４３５号公報）が挙げられる。以下、異物除去機能を有する紙幣入出金機について図面にしたがって説明する。図１７は従来の紙幣入出金機の紙幣入出金部を示す側面図である。
【０００３】
図１７において、紙幣入出金部１には紙幣の投入口としての紙幣プール部２が設けられ、紙幣プール部２は紙幣プール壁３およびビルプレス４により側面および底面を囲まれることにより形成されている。紙幣プール壁３は図における左側側面３ａ、手前と奥側の側面および底面３ｂを形成している。紙幣プール壁３の底面３ｂは、投入された紙幣に混入した異物が紙幣プール部２から落下できるように、図１８に示すような、高さの異なる第１の櫛歯５４と第２の櫛歯５５とを所定の間隔で交互に設けた形状を有している。
【０００４】
紙幣プール壁３の底面３ｂの下方には異物回収箱５が配置されている。異物回収箱５には紙幣プール壁３の底面３ｂを通過してきた異物が収容される。また紙幣プール部２の上方には紙幣入出金口シャッター６が移動可能に設けられている。紙幣入出金口シャッター６は、開時は装置筐体７の内部に収容され、閉じられたときは紙幣プール部２の上方に位置する。
【０００５】
ビルプレス４は、図示しない機構により支点８を中心に回動可能に形成され、略くの字形に形成されている。ビルプレス４は支点８を中心に反時計回り方向に回転することにより、投入された紙幣Ｐの上部を押圧する。紙幣プール部２は、それ自体が支点８を中心に回動可能となっている。紙幣プール部２は、図１７に示す位置において、入金時に投入紙幣を受け入れるとともに、出金時に出金紙幣を利用者に取り出し可能とする。紙幣プール部２は、図１７に示す状態から支点８を左側へ約９０度回動した状態において、投入された紙幣を装置内部に繰出すとともに、装置内の収納部から繰出された出金用の紙幣を受け入れる。投入紙幣の装置内部への繰出しは、繰出しローラ１０、フィードローラ５１及びゲートローラ５２で行なわれ、出金用紙幣は紙幣搬送路５３から受け入れる。
【０００６】
図１９はビルプレス４により投入紙幣を押圧した状態を示す。図１９において、ビルプレス４が図１７に示す状態から支点８を中心に反時計回り方向に回転すると、ビルプレス４の上部４ａが紙幣Ｐに圧接し、ビルプレス４の下部４ｂは紙幣Ｐから離れる。このとき、投入紙幣Ｐの間に硬貨やクリップなどの異物９が混入していた場合、紙幣Ｐの下部がビルプレス４により押圧されていないので、異物９は紙幣Ｐの間から下方に落下し易くなっている。落下した異物９は異物回収箱５に回収される。
【特許文献１】特開２００６−６５４３５号公報
【発明の開示】
【発明が解決しようとする課題】
【０００７】
しかしながら、投入紙幣の間に１円硬貨等の重量の軽い異物が混入した場合など、紙幣間の摩擦抵抗や紙幣の重さにより、図２０に示すように、異物９ａが落下せずに紙幣の間に留まっていることがある。また図２０に符号９ｂで示すように、投入紙幣Ｐの上部に異物が混入している場合には、ビルプレス４で紙幣Ｐの上部が押圧されているので、異物９ｂは落下せずに紙幣Ｐの間に留まる。
【０００８】
異物が紙幣の間に残留した状態で紙幣プール部２が紙幣繰出しのために回動すると、図２１に示すように、紙幣Ｐは繰出しローラ１０により１枚ずつ装置内へ繰出されるが、異物９も装置内へ進入し、紙幣搬送のジャムエラーの発生原因となるなどの不具合を発生する。なお図２０および図２１は従来の課題を示す説明図である。
【０００９】
そこで本発明は、投入される紙葉類の間に異物が混入した場合でも、混入した異物を確実に除去できる紙葉類処理装置を提供することを目的とする。
【課題を解決するための手段】
【００１０】
上記課題を解決するために本発明は、投入口に束状に投入される紙葉類を処理する紙葉類処理装置において、前記投入口を開閉するシャッターを有し、投入された紙葉類の端部に接触しながら移動する捌き手段を設け、前記捌き手段は、前記シャッターに設けられ、該シャッターとともに移動して投入された紙葉類の上端部に接触し、該上端部を捌くことを特徴とするものである。
【発明の効果】
【００１１】
本発明の紙葉類処理装置によれば、投入された紙葉類の上端部を捌く捌き手段をシャッターに設けたので、紙葉類の間、特に紙葉類の上部に混入している異物を確実に除去することが可能になる。
【発明を実施するための最良の形態】
【００１２】
以下、本発明の実施の形態を図面にしたがって説明する。各図面に共通する要素には同一の符号を付す。図１は本発明の第１の実施の形態の紙幣入出金装置を示す側断面図、図２は本発明が適用される自動取引装置を示す斜視図である。以下に説明する各実施の形態では、紙葉類処理装置として自動取引装置に実装される紙幣入出金装置を例にして説明する。まず図２にしたがって自動取引装置について説明する。
【００１３】
図２において、自動取引装置１１の前面側には、顧客操作部１２、紙幣入出金口１３、硬貨入出金口１４、カード挿入排出口１５および通帳挿入排出口１６が設けられている。また自動取引装置１１の内部には紙幣入出金装置１７が実装されており、紙幣入出金口１３は紙幣入出金装置１７に接続されている。
【００１４】
図１において、紙幣入出金口１３の下方には紙幣プール部２１が設けられ、紙幣プール部２１は紙幣プール壁２３およびビルプレス２４により側面および底面を囲まれることにより形成されている。紙幣プール壁２３は図における左側側面２３ａ、図示しない手前と奥側の側面および底部２３ｂを形成している。紙幣プール壁２３の底部２３ｂは、投入された紙幣に混入した異物が紙幣プール部２１から落下できるように、図１８に示すような、高さの異なる第１の櫛歯５４と第２の櫛歯５５とを所定の間隔で交互に設けた形状を有している。
【００１５】
また紙幣プール壁２３の底部２３ｂの下方には図３に示すように、２つの無端状の捌きベルト２５ａ、２５ｂが回転可能に配設されている。捌きベルト２５ａ、２５ｂは、図３に示すように、それぞれプーリ２６ａ、２７ａ、２６ｂ、２７ｂに掛け渡され、プーリ２６ａ、２６ｂに設けられたシャフト２８の回転により回転する。シャフト２８の一端部にはギア２９が取付けられ、ギア２９はモータ３０のギア３１と噛み合っている。捌きベルト２５ａ、２５ｂは上述の第１の櫛歯５４と第２の櫛歯５５の間に、投入された紙幣Ｐに接触する位置に、回転可能に配設されている。なお図３は第１の実施の形態の捌きベルトを示す斜視図である。
【００１６】
図１において、紙幣プール壁２３の底部２３ｂの下方には異物回収箱５が配置されている。異物回収箱５には紙幣プール壁２３の底部２３ｂを通過してきた異物が収容される。また紙幣プール部２１の上方には紙幣入出金口シャッター６が移動可能に設けられている。紙幣入出金口シャッター６は、開時は破線で示すように装置筐体１１ａの内部に収容され、閉じられたときは実線で示すように紙幣プール部２１の上方に位置する。
【００１７】
ビルプレス２４は、ビルプレス３２およびビルプレス３３とが支点３４で接続されることにより構成される。図４はビルプレスを示す側面図である。図４において、ビルプレス３２は、上部の支点３５でビルプレスアームリンク３６（以下では符号３６ａ、３６ｂで示す）と回転可能に接続されている。またビルプレス３３の下部にスライド支点３７が設けられ、スライド支点３７は、紙幣プール壁２３の底部２３ｂに形成されたスライド溝３８に入り込んで水平方向にのみ移動可能となっている。
【００１８】
図３において、ビルプレスアームリンク３６ａ、３６ｂは、支点８を中心に回動可能に設けられ、スプリング４０ａ、４０ｂにより装置後方側へ付勢されている。ビルプレスアームリンク３６ａ、３６ｂには側方に突出した係止部４１ａ、４１ｂが形成されている。ビルプレスアームリンク３６ａ、３６ｂの回動支点８と同軸上にギア４２ａ、４２ｂが設けられている。ギア４２ａ、４２ｂの周面には係止突起４３ａ、４３ｂが形成され、係止突起４３ａ、４３ｂが係止部４１ａ、４１ｂを押圧することにより、ビルプレスアームリンク３６ａ、３６ｂが回動するようになっている。ギア４２ａ、４２ｂはギア４４ａ、４４ｂを介して図示しない駆動手段により回転される。
【００１９】
図１において、ビルプレス２４は支点８を中心に反時計回り方向に回転することにより、投入された紙幣Ｐの上部を押圧する。紙幣プール部２１は、同様に支点８を中心に回動し、図１に示す位置において、入金時に投入紙幣を受け入れるとともに、出金時に出金紙幣を利用者に取り出し可能とする。また紙幣プール部２１は、図１に示す状態から支点８を左側へ約９０度回動した状態において、投入された紙幣を装置内部に繰出すとともに、装置内の収納部から繰出された出金用の紙幣を受け入れる。
【００２０】
紙幣プール部２１の左側には繰出しローラ１０、フィードローラ５１、ゲートローラ５２が設けられている。繰出しローラ１０は、紙幣プール部２１が図１に示す状態から支点８を左側へ約９０度回動した状態において、投入紙幣Ｐを下側から１枚ずつ分離して繰出すものである。紙幣プール部２１の紙幣プール壁２３には図示しない孔が形成されており、繰出しローラ１０はこの孔を通って紙幣Ｐに接触する。
【００２１】
フィードローラ５１は、図示しない駆動手段により駆動され、繰出しローラ１０により繰出された紙幣Ｐを装置内部へと搬送する。ゲートローラ５２は、フィードローラ５１の周面に接触して配設され、紙幣取り込みゲートを形成する。フィードローラ５１を図中反時計回り方向に回転し、繰出しローラ１０により繰出された紙幣Ｐをゲートローラ５２で１枚に分離し、装置内部へ搬送する。出金紙幣搬送路５３は上下に配設された２つのベルトにより構成され、出金用の紙幣を紙幣プール部２１方向へ搬送するものである。
【００２２】
次に第１の実施の形態の動作を説明する。ここでは紙幣の投入から、投入された紙幣を繰出すまでの紙幣入出金装置の動作を説明する。顧客が入金取引のために自動取引装置に接近すると、図示しない近接センサにより接近が検出され、図２に示す顧客操作部１２に取引種別選択画面が表示される。ここで顧客が入金取引を選択すると、紙幣入出金口シャッター６が開けられる。
【００２３】
次に顧客は入金紙幣を入出金口１３の紙幣プール部２１内に投入する。このとき、図１に示すように、投入紙幣Ｐの束の間に異物としての硬貨９が混入しているものとする。紙幣プール部２１内の図示しないセンサにより紙幣Ｐの投入が検出されると、紙幣入出金口シャッター６が開位置から閉位置へ閉動作を開始する。紙幣入出金口シャッター６の閉動作開始から任意の時間が経過した後、図３に示すモータ３０を駆動し、モータギア３１及びギア２９を介してシャフト２８を回転させる。これにより捌きベルト２５ａ、２５ｂが矢印Ａ方向に回転する。なお捌きベルト２５ａ、２５ｂの回転方向は矢印Ａ方向の逆方向であってもよい。
【００２４】
捌きベルト２５ａ、２５ｂが回転することにより、投入紙幣Ｐの下端部が捌かれる。このとき紙幣Ｐはまだビルプレス２４で押圧されていないので、紙幣Ｐの下端部が広がり、紙幣Ｐの間に異物９が混入している場合には、その異物９は下方に落下しやすくなる。異物９は底部２３ｂに設けた第１の櫛歯５４と第２の櫛歯５５の間から下方に落下し、異物回収箱５内に収容される。捌きベルト２５ａ、２５ｂの回転は所定時間継続され、その後停止する。
【００２５】
図５、図６は第１の実施の形態の動作を示す動作説明図である。捌きベルト２５ａ、２５ｂが回転開始する時点では、図５に示すように、紙幣Ｐの下端部は広がってはいない。捌きベルト２５ａ、２５ｂが回転した後においては、図６に示すように、紙幣Ｐの下端が大きく広がり（Ｌ１からＬ２に広がる（Ｌ１＜Ｌ２））、紙幣Ｐの間に挟まれた異物９は落下しやすくなる。
【００２６】
捌きベルト２５ａ、２５ｂの回転が停止した後、図示しない駆動手段により、図３に示すギア４４ａ、４４ｂを介してギア４２ａ、４２ｂを矢印方向に回転させる。ギア４２ａ、４２ｂが矢印方向に回転すると、係止突起４３ａ、４３ｂがビルプレスアームリンク３６ａ、３６ｂの側方に突出した係止部４１ａ、４１ｂから離れる方向に移動し、これによりビルプレスアームリンク３６ａ、３６ｂはスプリング４０ａ、４０ｂに引っ張られ、支点８を中心に図４における反時計回り方向に回動する。
【００２７】
図４において、ビルプレスアームリンク３６ａ、３６ｂの回動により、ビルプレス２４は、上部の支点３５が図中左側へ移動し、ビルプレス３２が紙幣Ｐに圧接する。またビルプレス２４の下端のスライド支点３７は図中右側へ移動し、ビルプレス３３は紙幣Ｐから離れる。
【００２８】
またギア４２ａ、４２ｂの回転により紙幣プール壁２３の全体が支点８を中心に回転し、ビルプレス３２が紙幣Ｐを押圧した状態で紙幣Ｐは略横向きにされ、分離可能な状態にされる。この状態から繰出しローラ１０により紙幣Ｐが繰出され、フィードローラ５１及びゲートローラ５２により１枚ずつ分離され、装置内部に搬送され、入金処理が行われる。
【００２９】
以上のように第１の実施の形態によれば、投入された紙幣Ｐをビルプレス２４で押圧する前に捌きベルト２５ａ、２５ｂにより紙幣Ｐの下端部を捌くようにしたので、紙幣と紙幣の間隔が広く開き、紙幣Ｐの間に混入している異物９が落下しやすくなり、容易に異物９を除去することが可能になる。
【００３０】
次に第２の実施の形態を説明する。図７は第２の実施の形態の紙幣入出金装置を示す側断面図である。図７において、第２の実施の形態の紙幣入出金装置では、第１の実施の形態と同様に、紙幣プール部２１、ビルプレス２４、紙幣入出金口シャッター６、異物回収箱５および捌きベルト２５ａ、２５ｂが設けられている。
【００３１】
図８は第２の実施の形態の捌きベルトを示す斜視図である。図８において、第１の実施の形態と同様に、ビルプレスアームリンク３６ａ、３６ｂは、支点８を中心に回動可能に設けられ、スプリング４０ａ、４０ｂにより装置後方へ付勢されている。ビルプレスアームリンク３６ａ、３６ｂには側方に突出した係止部４１ａ、４１ｂが形成されている。ビルプレスアームリンク３６ａ、３６ｂの回動支点８と同軸上にギア４２ａ、４２ｂが設けられている。ギア４２ａ、４２ｂの周面には係止突起４３ａ、４３ｂが形成され、係止突起４３ａ、４３ｂが係止部４１ａ、４１ｂを押圧することにより、ビルプレスアームリンク３６ａ、３６ｂが回動するようになっている。ギア４２ａ、４２ｂはギア４４ａ、４４ｂを介して図示しない駆動手段により回転される。
【００３２】
また図７に示す紙幣プール部２１下方には、２つの無端状の捌きベルト２５ａ、２５ｂが回転可能に配設されている。捌きベルト２５ａ、２５ｂは、それぞれプーリ２６ａ、２７ａ、２６ｂ、２７ｂに掛け渡され、プーリ２６ａ、２６ｂに設けられたシャフト２８の回転により回転する。シャフト２８の一端部にはギア５０が取付けられ、ギア５０は上述のギア４２ａと噛み合っている。したがって紙幣プール部２１を回動させるために図示しない駆動手段によりギア４２ａが回転されると、ギア５０およびシャフト２８を介して捌きベルト２５ａ、２５ｂが回転する。その他の構成は第１の実施の形態と同様である。
【００３３】
次に第２の実施の形態の動作を説明する。ここでは紙幣の投入から、投入された紙幣を繰出すまでの紙幣入出金装置の動作を説明する。顧客が入金取引のために自動取引装置に接近すると、図示しない近接センサにより接近が検出され、図２に示す顧客操作部１２に取引種別選択画面が表示される。ここで顧客が入金取引を選択すると、紙幣入出金口シャッター６が開けられる。
【００３４】
次に顧客は入金紙幣を入出金口１３の紙幣プール部２１内に投入する。このとき、図７に示すように、投入紙幣Ｐの束の間に異物としての硬貨９が混入しているものとする。紙幣プール部２１内の図示しないセンサにより紙幣Ｐの投入が検出されると、紙幣入出金口シャッター６が開位置から閉位置へ閉動作を開始する。紙幣入出金口シャッター６の閉動作が終了すると、図示しない駆動手段が駆動され、図８に示すギア４４ａ、４４ｂを介してギア４２ａ、４２ｂを矢印方向に回転させる。紙幣入出金口シャッター６が閉じた状態を図９に示す。
【００３５】
ギア４２ａ、４２ｂが矢印方向に回転すると、第１の実施の形態で説明したように、係止突起４３ａ、４３ｂがビルプレスアームリンク３６ａ、３６ｂの側方に突出した係止部４１ａ、４１ｂから離れる方向に移動し、これによりビルプレスアームリンク３６ａ、３６ｂはスプリング４０ａ、４０ｂに引っ張られ、支点８を中心に図４における反時計回り方向に回動する。ビルプレスアームリンク３６ａ、３６ｂの回動により、ビルプレス２４は、図１０に示すように、反時計回り方向に回転し、これによりビルプレス３２が紙幣Ｐの上部に圧接する。またビルプレス２４の下端のスライド支点３７は図中右側へ移動し、ビルプレス３３は紙幣Ｐの下部から離れる。なお図１０は第２の実施の形態の動作を示す動作説明図である。
【００３６】
図８において、ギア４２ａが回転することにより、ギア５０が回転する。ギア５０の回転によりシャフト２８を介して捌きベルト２５ａ、２５ｂが回転する。回転方向は上記第１の実施の形態の場合と逆方向（図９、図１０に示す矢印Ｂ方向）である。捌きベルト２５ａ、２５ｂのこの回転により、投入紙幣Ｐの下端部が捌かれるが、捌きベルト２５ａ、２５ｂが紙幣Ｐを捌くのは、ビルプレス２４が紙幣Ｐの上部に対する押圧動作開始時点から押圧完了時点までである。
【００３７】
ビルプレス２４が回転開始する時点では、図１１に示すように、紙幣Ｐの下端部は広がってはいない。ビルプレス２４が回転した後においては、図１２に示すように、紙幣Ｐの下端が大きく広がり（Ｌ３からＬ４に広がる（Ｌ３＜Ｌ４））、紙幣Ｐの間に挟まれた異物９は落下しやすくなる。なお図１０、図１１は第２の実施の形態の動作を示す動作説明図である。
【００３８】
捌きベルト２５ａ、２５ｂの回転方向はギアの数を変えることにより、任意に設定可能である。またギア５０のギア４２ａに対するギア比を変えることにより、捌きベルト２５ａ、２５ｂの回転量を調整することも可能である。捌きベルト２５ａ、２５ｂが回転することにより、投入紙幣Ｐの下端部が捌かれる。このとき紙幣Ｐの下端部はビルプレス２４で押圧されていないので、紙幣Ｐの間に異物９が混入している場合には、その異物９は下方に落下しやすくなる。異物９は底部２３ｂに設けた第１の櫛歯５４と第２の櫛歯５５の間から下方に落下し、異物回収箱５内に収容される。
【００３９】
またギア４２ａ、４２ｂの回転により紙幣プール壁２３の全体が支点８を中心に回転し、ビルプレスＡ３２が紙幣Ｐを押圧した状態で紙幣Ｐは略横向きにされ、分離可能な状態にされる。この状態から繰出しローラ１０により紙幣Ｐが繰出され、フィードローラ５１及びゲートローラ５２により１枚ずつ分離され、装置内部に搬送され、入金処理が行われる。
【００４０】
以上のように第２の実施の形態によれば、投入された紙幣Ｐをビルプレス２４で押圧する間に、ビルプレス２４を動作させるための動力を利用して捌きベルト２５ａ、２５ｂを回転させ、紙幣Ｐの下端部を強制的に捌くようにしたので、第１の実施の形態と同様に、紙幣Ｐの間に混入している異物９が落下しやすくなり、容易に異物９を除去することが可能になるとともに、捌きベルト２５ａ、２５ｂを専用に駆動するためのモータが不要になるので、コスト低減の効果も奏する。
【００４１】
次に第３の実施の形態を説明する。図１３は第３の実施の形態の紙幣入出金装置を示す側断面図である。図１３において、第３の実施の形態の紙幣入出金装置では、紙幣プール部２１、ビルプレス２４、紙幣入出金口シャッター６１、異物回収箱５が設けられている。第３の実施の形態では、捌きベルト２５ａ、２５ｂは設けられていない。紙幣入出金口シャッター６１の側部には、紙幣捌きレバー６２が回動可能に設けられている。
【００４２】
紙幣捌きレバー６２は略Ｌ字形に形成され、一端部には引っ張りスプリング６３が取付けられ、他端部には摩擦部材６４が具備されている。スプリング６３は紙幣捌きレバー６２を反時計回り方向に付勢する。摩擦部材６４については、紙幣を捌くことができれば材質を問わないが、さらに摩擦部材６４を設ける代わりに、紙幣捌きレバー６２の他端部を凹凸形状やローレット形状等にしてもよい。紙幣捌きレバー６２は、図示しないロック機構により、スプリング６３の付勢力に抗して任意の位置で保持することができるようになっている。
【００４３】
紙幣入出金口シャッター６１が開時に収納された際の紙幣捌きレバー６２の下方に、ガイド部材６５が設けられている。ガイド部材６５は略くの字状に形成され、紙幣プール部２１側に傾斜部６５ａを有する。また紙幣入出金口シャッター６１開時の紙幣捌きレバー６２の下方には、紙幣捌きレバー６２のロック状態を解除する図示しないロック解除機構が設けられている。
【００４４】
次に第３の実施の形態の動作を説明する。ここでは紙幣の投入から、投入された紙幣を繰出すまでの紙幣入出金装置の動作を説明する。顧客が入金取引のために自動取引装置に接近すると、図示しない近接センサにより接近が検出され、図２に示す顧客操作部１２に取引種別選択画面が表示される。ここで顧客が入金取引を選択すると、紙幣入出金口シャッター６１が開けられる。
【００４５】
紙幣入出金口シャッター６１が閉じている状態においては、図１４に示すように、図示しないロック機構により紙幣捌きレバー６２はロックされた状態にある。即ち、紙幣捌きレバー６２の摩擦部材６４側の他端部が紙幣入出金口シャッター６１の内部に入り込んだ状態にある。この状態から紙幣入出金口シャッター６１が開動作を開始する。このように紙幣捌きレバー６２をロック状態にして紙幣入出金口シャッター６１を開くことにより、紙幣プール部２１内に紙幣がある場合には、紙幣Ｐに紙幣捌きレバー６２が接触するのを避けることができる。
【００４６】
紙幣入出金口シャッター６１が開けられて紙幣捌きレバー６２が図示しないロック解除機構のところへ来ると、紙幣捌きレバー６２は、摩擦部材６４側の他端部がガイド部材６５に乗り上げた状態で図示しないロック解除機構によりロック状態が解除される。これにより紙幣捌きレバー６２は、紙幣入出金口シャッター６１が開状態にある間は、摩擦部材６４側の他端部がガイド部材６５に当接した状態に保持される。
【００４７】
次に顧客は入金紙幣を入出金口１３の紙幣プール部２１内に投入する。このとき、図１３に示すように、投入紙幣Ｐの束の間に異物としての硬貨９が混入しているものとする。紙幣プール部２１内の図示しないセンサにより紙幣Ｐの投入が検出されると、紙幣入出金口シャッター６１が開位置から閉位置へ閉動作を開始する。紙幣入出金口シャッター６１が閉動作を開始すると、図１５に示すように、紙幣捌きレバー６２の摩擦部材６５側の他端部がガイド部材６５の傾斜部６５ａを滑り降り、下方へ突出した状態になる。なお図１５は第３の実施の形態の動作を示す動作説明図である。
【００４８】
紙幣入出金口シャッター６１が更に移動すると、図１６に示すように、紙幣捌きレバー６２の摩擦部材６５側の他端部が投入紙幣Ｐの上端部に接触し、該上端部を捌く。このとき投入紙幣Ｐの上端部は、図１６に示すように、ビルプレス２４により押圧されていないので、紙幣捌きレバー６２の捌き動作で紙幣Ｐの間隔が広がり、紙幣Ｐの間に混入している異物９が容易に落下するようになる。即ち、紙幣入出金口シャッター６１の開時には紙幣Ｐの幅はＬ５（図１５に示す）であるが、紙幣捌きレバー６２の捌きによりＬ６（図１６に示す）に広がる。
【００４９】
落下した異物９は、紙幣プール壁２３の底部２３ｂに設けた第１の櫛歯と第２の櫛歯の間から下方に落下し、異物回収箱５内に収容される。紙幣Ｐの捌きの程度は、紙幣捌きレバー６２の摩擦部材６５側の他端部の長さを変えるなどにより任意に設定可能である。図１６は第３の実施の形態の動作を示す動作説明図である。
【００５０】
紙幣入出金口シャッター６１が図１４に示す閉位置に到達すると、図示しないロック機構により紙幣捌きレバー６２がロックされ、摩擦部材６５側の他端部が紙幣入出金口シャッター６１のスペース内に入り込み、この状態に保持される。また紙幣入出金口シャッター６１の閉動作が終了すると、第２の実施の形態で説明したように、図示しない駆動手段を駆動し、ビルプレス２４を反時計回り方向に回転させ、上側のビルプレスＡ３２を紙幣Ｐに圧接させる。
【００５１】
また図示しない駆動手段を駆動することにより、紙幣プール壁２３の全体が支点８を中心に回転し、ビルプレスＡ３２が紙幣Ｐを押圧した状態で紙幣Ｐは略横向きにされ、分離可能な状態にされる。この状態から繰出しローラ１０により紙幣Ｐが繰出され、フィードローラ５１及びゲートローラ５２により１枚ずつ分離され、装置内部に搬送され、入金処理が行われる。
【００５２】
第３の実施の形態において、出金処理においては紙幣プール部２１に出金用紙幣が集積された後、紙幣入出金口シャッター６１が開けられるが、紙幣入出金口シャッター６１が開けられる際に、紙幣捌きレバー６２はロックされて集積紙幣には接触しないようになっているので、出金用の集積紙幣の整列を乱すようなことはない。
【００５３】
以上のように第３の実施の形態によれば、紙幣入出金口シャッター６１に紙幣捌きレバー６２を設け、紙幣が投入されてから紙幣入出金口シャッター６１を閉める際に紙幣捌きレバー６２により紙幣の上端部を捌き、紙幣の間隔を広げるので、紙幣の間に混入している異物を、特に紙幣の上部に混入している異物を容易に落下させることが可能になる。
【００５４】
上記各実施の形態では、紙葉類処理装置として自動取引装置に内蔵される紙幣入出金装置を例にとり、紙幣入出金装置における異物の除去について説明したが、本発明は、紙葉状の媒体を束として垂直方向または傾斜した状態で投入され、さらにシャッター機構および媒体押圧機構を有する処理装置であれば、適用可能であり、同様の作用効果を得ることができる。
【００５５】
また上記第１及び第２の実施の形態では、紙幣の間に混入していた異物９を異物回収箱５の中に回収するようにしたが、異物９を捌きベルト２５ａ、２５ｂ上に載せ、捌きベルト２５ａ、２５ｂで搬送して直接顧客に返却する構成にしてもよい。
【図面の簡単な説明】
【００５６】
【図１】第１の実施の形態の紙幣入出金装置を示す側断面図である。
【図２】本発明が適用される自動取引装置を示す斜視図である。
【図３】第１の実施の形態の捌きベルトを示す斜視図である。
【図４】ビルプレスを示す側面図である。
【図５】第１の実施の形態の動作を示す動作説明図である。
【図６】第１の実施の形態の動作を示す動作説明図である。
【図７】第２の実施の形態の紙幣入出金装置を示す側断面図である。
【図８】第２の実施の形態の捌きベルトを示す斜視図である。
【図９】紙幣入出金口シャッターが閉じた状態を示す動作説明図である。
【図１０】第２の実施の形態の動作を示す動作説明図である。
【図１１】第２の実施の形態の動作を示す動作説明図である。
【図１２】第２の実施の形態の動作を示す動作説明図である。
【図１３】第３の実施の形態の紙幣入出金装置を示す側断面図である。
【図１４】紙幣入出金口シャッターが閉じた状態を示す動作説明図である。
【図１５】第３の実施の形態の動作を示す動作説明図である。
【図１６】第３の実施の形態の動作を示す動作説明図である。
【図１７】従来の紙幣入出金機の紙幣入金部を示す側面図である。
【図１８】紙幣プール部を示す斜視図である。
【図１９】ビルプレスにより紙幣を押圧した状態を示す側面図である。
【図２０】従来の課題を示す説明図である。
【図２１】従来の課題を示す説明図である。
【符号の説明】
【００５７】
６、６１  紙幣入出金口シャッター
９  異物
１３  紙幣入出金口
１７  紙幣入出金装置
２１  紙幣プール部
２４  ビルプレス
２５ａ、２５ｂ  捌きベルト
５１  ギア
６２  紙幣捌きレバー
【図１】
0005176568.tif 000002
【図２】
0005176568.tif 000003
【図３】
0005176568.tif 000004
【図４】
0005176568.tif 000005
【図５】
0005176568.tif 000006
【図６】
0005176568.tif 000007
【図７】
0005176568.tif 000008
【図８】
0005176568.tif 000009
【図９】
0005176568.tif 000010
【図１０】
0005176568.tif 000011
【図１１】
0005176568.tif 000012
【図１２】
0005176568.tif 000013
【図１３】
0005176568.tif 000014
【図１４】
0005176568.tif 000015
【図１５】
0005176568.tif 000016
【図１６】
0005176568.tif 000017
【図１７】
0005176568.tif 000018
【図１８】
0005176568.tif 000019
【図１９】
0005176568.tif 000020
【図２０】
0005176568.tif 000021
【図２１】
0005176568.tif 000022